(57)【特許請求の範囲】
【請求項１】
ルアーボディのフックアイに連結リングを介してフックを備えた釣り用ルアーであって、
前記フックは、それぞれ上端が前記連結リングに揺動自在に係合するほぼＪ字形の第１フックおよび第２フックからなると共に、前記第１フックおよび第２フックを拡縮自在な連結体で束ねてなることを特徴とする釣り用ルアー。
【請求項２】
請求項１に記載の釣り用ルアーにおいて、
前記ルアーボディは魚または小動物あるいは昆虫の形状であると共に、前記第１フックおよび第２フックはその針先が、それぞれ前記ルアーボディの左右斜め前方に向くように束ねられていることを特徴とする釣り用ルアー。
【請求項３】
請求項１または２に記載の釣り用ルアーにおいて、
前記連結体は、ゴムチューブまたは熱収縮性の樹脂チューブあるいはプラスチックテープからなることを特徴とする釣り用ルアー。
【発明の詳細な説明】
【技術分野】
【０００１】
本発明は、ルアーフィッシングに用いる釣り用ルアーに係り、一般にプラグ、ミノー、ジグやスプーンなどと称される小魚を模擬したルアーボディ（本体）を有する釣り用ルアーに関する。
【背景技術】
【０００２】
一般にルアーフィッシングに用いる釣り用ルアーとしては、プラグ、ミノー、ジグやスプーンなどと称される小魚や小動物、昆虫などに似せたルアーボディの腹部や尾ひれ部にフックをぶら下げた構造のものが多く利用されている。このルアーボディに取り付けられたフックは、魚に触れるとその口やエラなどに引っかかるようにその針先がＪ字形に曲げられると共にその先端には引っかかった針が魚から外れるのを防ぐためのかえしが形成されている。
【０００３】
また、このフックはあらゆる方向からの魚の食いつきに対応するために、例えば以下の特許文献１や２などに示すように３本の針先を等間隔、すなわちルアーボディ側に連結される軸に対してそれぞれ約１２０°の間隔で３本の針先を放射状に配置したものが多く利用されている。また、以下の特許文献３に示すように針先がルアーボディに衝突する音を軽減するために２本の針先を有するフックも多く用いられている。
【先行技術文献】
【特許文献】
【０００４】
【特許文献１】特開２０１０−７５１６７号公報
【特許文献２】特開２０１２−２４９６２０号公報
【特許文献３】特開２００９−１７８１１５号公報
【発明の概要】
【発明が解決しようとする課題】
【０００５】
ところで、前記特許文献１乃至３に示すような３本または２本の針先を有する従来のフックは、その針先同士の間隔（角度）が固定されているため、いずれか１つの針先に魚が食いついた（引っかかった）後は、さらに他の針先に引っかかる可能性は低い。そのため、その針先に引っかかった魚が暴れると、その浅く引っかかった部分（口やエラ）がちぎれてしまい、そのままフックアウトして魚が逃げてしまうことがある。
【０００６】
また、仮に２つ以上の針先に掛かったとしても各針先の間隔が固定されているため、いずれかの針先に力が集中して力の分散ができず、その結果、同様な不都合を招く。そして、さらに食いついた魚が大型であると、その重さや抵抗力に耐えきれずにその針先が延びたり、折れたりしてしまい、その針先から魚が抜け落ちてしまうこともある。
【０００７】
そこで、本発明はこれらの課題を解決するために案出されたものであり、その目的は一旦食いついた後は魚が暴れたり、大型であってもこれを逃がすことなく確実に釣り上げることができる新規な釣り用ルアーを提供することにある。
【課題を解決するための手段】
【０００８】
前記目的を達成するために第１の発明は、ルアーボディのフックアイに連結リングを介してフックを備えた釣り用ルアーであって、前記フックは、それぞれ上端が前記連結リングに揺動自在に係合するほぼＪ字形の第１フックおよび第２フックからなると共に、前記第１フックおよび第２フックを拡縮自在な連結体で束ねてなることを特徴とする釣り用ルアーである。
【０００９】
このような構成によれば、第１フックと第２フックとが他方の動きにかかわらずそれぞれ独自に動くようになるため、例えば一方のフックにのみ魚が引っかかった後に、魚が暴れるなどしてさらに他方のフックに対して魚の他の部分が引っかかる可能性が高くなる。これによって２本の独立したフックで魚を捉えることになり、また、魚の動きに対して２本の独立したフックが逃げ惑う魚の動きに追従するため、両方のフックに力が均一に分散する。この結果、フックが浅く引っかかった部分がちぎれたり、魚の重さや抵抗によって針先が延びたり、折れたりしてしまうといった不都合を回避できる。
【００１０】
第２の発明は、第１の発明において、前記ルアーボディは魚または小動物、昆虫の形状であると共に、前記第１フックおよび第２フックはその針先が、それぞれ前記魚形状をしたルアーボディの左右斜め前方に向くように束ねられていることを特徴とする釣り用ルアーである。このような構成によれば、針先がそれぞれ違う方向を向いているため、いずれかのフックに魚が引っかかる確率が高くなると共に、水の流れによってフックがルアーボディ側に近づいてもその針先がルアーボディに衝突する確率や頻度が少なくなる。これにより、カチカチという衝突音が発生することがなくなるため、魚に警戒心を与えることを防げる。また、同時にルアーボディに必要以上の傷が付くことも防ぐことができる。
【００１１】
第３の発明は、第１または第２の発明において、前記連結体は、ゴムチューブまたは熱収縮性の樹脂チューブからなることを特徴とする釣り用ルアーである。このような構成によれば、連結体によって２つのフックを束ねてその位置関係を保ちつつ、各フックにある一定以上の力が加わったときには、この連結体が変形して他のフックによって動きが規制されることなく独自に動くことができる。また、この柔らかい素材の連結体チューブが第１及び第２のフックに被さることにより、ルアーボディへ接触したときの力を緩衝してその接触音を低減することもできる。
【発明の効果】
【００１２】
本発明によれば、一方のフックにのみ魚が引っかかった後に、魚が暴れるなどしてさらに他方のフックに対して魚の他の部分が引っかかって２本のフックで魚を捉えることになるため、フックが浅く引っかかった部分がちぎれて魚が逃げてしまったり、魚の重さや抵抗によって針先が延びたり、折れたりしてしまうといった不都合を回避できる。また、各フックが独立して動いて魚の動きに追従することによってくさびのように絡みつくため、フックが刺さった口やエラの損傷も最小限にとどめることができる。従って、一旦食いついた後は魚が暴れたり、大型であってもこれを逃がすことなく確実に釣り上げることができる。
【図面の簡単な説明】
【００１３】
【図１】本発明に係る釣り用ルアー１００の実施の一形態を示す側面図である。
【図２】（Ａ）はフック３０の側面図、（Ｂ）はその正面図である。
【図３】（Ａ）は第２フック３２の平面図、（Ｂ）は第１フック３１の平面図である。
【図４】本発明に係る釣り用ルアー１００の組み立て例を示す説明図である。
【図５】本発明に係る釣り用ルアー１００の作用を示す説明図である。
【図６】本発明に係る釣り用ルアー１００の動きを示す説明図である。
【図７】従来の釣り用ルアーの一例を示す説明図である。
【発明を実施するための形態】
【００１４】
以下、本発明の実施の形態を添付図面を参照しながら説明する。図１は本発明に係る釣り用ルアー１００の実施の一形態を示したものである。図示するようにこの釣り用ルアー１００は、魚形状をしたルアーボディ１０と、このルアーボディ１０の腹部および尾ひれ部付近に設けられたフックアイ２０，２０に、溶接リングやスプリットリングなどからなる連結リング２１，２１を介して取り付けられたフック３０，３０とから構成されている。
【００１５】
このルアーボディ１０は、実際の魚や小動物、昆虫などの形態を模したプラスチックや金属、ゴムなどで形成されており、その口元付近のラインアイ２２に接続されたライン４０に引っ張られるようにして水中または水面付近に位置して周囲の魚を引きつけるように機能する。なお、このルアーボディ１０は、その尾ひれ部分が中折れ式で左右に揺動するものもある。
【００１６】
フック３０は、図２に示すように第１フック３１と第２フック３２とを連結体３３で束ねて構成されている。第１フック３１は、炭素鋼などの高強度の針金からなっており、垂直に延びる軸部３１ａの頂部にリング状の吊下げ部３１ｂを有していると共に、その下端部にはＪ字形に湾曲した針先部３１ｃが一体的に形成されている。この針先部３１ｃは、図３（Ｂ）に示すようにリング状の吊下げ部３１ｂの上方から見ると、その環状面Ｓ１に対して約４５°〜６０°程度左側に湾曲した状態となっている。
【００１７】
一方、図２（Ｂ）に示すように第２フック３２も第１フック３１と同様に、垂直に延びる軸部３２ａの頂部にリング状の吊下げ部３２ｂを有していると共に、その下端部はＪ字形に湾曲した針先部３２ｃが一体的に形成されているが、この針先部３２ｃは、図３（Ａ）に示すようにリング状の吊下げ部３２ｂの上方から見ると、第１フック３１とは反対にその環状面Ｓ２に対して約４５°〜６０°程度右側に湾曲した状態となっている。なお、この角度に関しては４５°〜６０°に限定されるものでなく、使用するルアーの幅や形状によってさまざまに異なる。
【００１８】
従って、図２（Ｂ）に示すようにこれら第１フック３１の吊下げ部３１ｂと第２フック３２の吊下げ部３２ｂとを重ね合わせるような状態で束ねると、それぞれの針先部３１ｃ、３２ｃは左右約４５°〜６０°ずつ外側に開いた状態となっている。なお、これら各フック３１，３２の針先部３１ｃ、３２ｃの内側には、針が外れ難くするためのかえし（バーブ）３１ｄ、３２ｄがそれぞれ形成されている。
【００１９】
この第１フック３１と第２フック３２を束ねる連結体３３は、ゴムチューブまたは熱収縮性の樹脂チューブあるいはプラスチックテープなどからなっている。ゴムチューブを用いる場合にはそれを構成する材料としては、天然ゴムや合成ゴムなどであり、ある程度の力が加わると容易に拡径し、その力が抜けると元の径に戻る性質のものであれば特に限定されない。また、熱収縮性の樹脂チューブも熱収縮後に同様な性質を有するものであれば良く、例えば熱することにより、あらかじめ記憶された形状に収縮する形状記憶のプラスチック製チューブなどを用いることができる。具体的には電気絶縁材料などとしても散られているポリオレフィン、フッ素系ポリマー、熱可塑性エラストマーなどからなる熱収縮チューブを用いることができる。
【００２０】
このような構造をした釣り用ルアー１００の組み立て方法としては、例えば先ず図４（１）に示すように第１フック３１と第２フック３２の針先部３１ｃ、３２ｃがそれぞれ反対方向に向くようにしてその吊下げ部３１ｂ、３２ｂを重ね合わせるように組み合わせ、この状態でそれらの軸部３１ａ、３２ａに、内径が吊下げ部３１ｂ、３２ｂの外径よりも大きい熱収縮前の熱収縮チューブ３３を被せる（同図（２））。その後、同図（３）に示すようにその外側からドライヤーなどで加熱するとその熱によってこの熱収縮チューブ３３が縮んで同図（４）に示すようにそれらの軸部３１ａ、３２ａに密着してこれらを１つの軸に束ねるように機能する。
【００２１】
これによって、その吊下げ部３１ｂ、３２ｂ同士が重ね合わさった状態となるため、その針先部３１ｃ、３２ｃはそれぞれ吊下げ部３１ｂ、３２ｂの円環面Ｓ１，Ｓ２上に対して約４５°〜６０°ずつ外側に開き、その状態が維持されることになる。そして、この第１フック３１および第２フック３２に対して何ら外力が加わらない状態では、図５（Ａ）に示すようにその形態が維持されるが、この第１フック３１および第２フック３２はもともとそれぞれ独立していることから、他方の状態にかかわらず、そのチューブ状の連結体３３を軸として自由に動く（回動する）ことができる。
【００２２】
同図（Ｂ）は、第１フック３１および第２フック３２の針先部３１ｃ、３２ｃ同士が離間するように外側に向けて動かしたものであり、同図（Ｃ）はその針先部３１ｃ、３２ｃ同士が接近するように内側に向けて動かしたものである。もちろん、いずれか一方のみを動かすことも可能である。そして、このように外力によってその針先部３１ｃ、３２ｃの向きを変えた場合には、その環状の吊下げ部３１ｂ、３２ｂ同士が干渉し合うため、同図（Ｂ）（Ｃ）に示すようにその軸部３１ａ、３２ａ同士が離れてチューブ状の連結体３３が一時的に拡径するが、その外力を取り除くとその連結体３３の収縮力によって同図（Ａ）に示すように軸部３１ａ、３２ａ同士が密着するように元の状態に戻ることになる。
【００２３】
そして、このような構成をしたフック３０を図１に示すようにその針先部３１ｃ、３２ｃがライン４０方向に向くようにしてルアーボディ１０に取り付けると、第１フック３１または第２フック３２がそれぞれ独自に動くことになるため、そのいずれか一方にのみ、例えば第１フック３１にのみ魚が引っかかった後に、その魚が暴れるなどしてさらに他方の第２フック３２に接触してこれが魚の他の部分に引っかかる可能性が極めて高くなる。
【００２４】
各フック３１、３２の針先部３１ｃ、３２ｃはＪ字形に湾曲している上に、その内側にはかえし３１ｄ、３２ｄが形成されているため、一旦引っかかった針先部３１ｃ、３２ｃは簡単に抜け落ちることはない。また、各フック３１、３２は外力が加わることにより他のフックの位置や動きに規制されずに独自に動くため、一旦引っかかった後は魚が暴れるほどにより深く魚の口やエラに突き刺さることになる。これによって、独立して動く２本のフックで魚をしっかりと捉えることになるため、フック３１または３２の一方にのみ浅く引っかかった部分がちぎれて魚が逃げてしまったり、魚の重さや抵抗によって針先が延びて抜け落ちてしまうといった不都合を回避することができる。
【００２５】
従って、一旦食いついた後は魚が暴れたり、大型であってもこれを逃がすことなく確実に釣り上げることができる。そして、このようにして釣り上げた魚を取り外した後のフック３０は、その外力が無くなることによってそのチューブ状の連結体３３の収縮力が復活し、その収縮力によって元の状態に自然に戻るため、フックの位置を調整するなどといった、特に手を加えることなくそのまますぐに再利用することができる。
【００２６】
また、水中に入れたときには各フック３１、３２の針先部３１ｃ、３２ｃがそれぞれ違う方向を向いているため、その近くにやってきた魚はいずれかのフック３１，３２に引っかかる確率が高くなると共に、その針先部３１ｃ、３２ｃがライン４０方向に向くように取り付ければ、図６に示すように水の流れによってフック３１，３２がルアーボディ１０側に近づいてもその針先がルアーボディ１０に衝突する確率や頻度を少なくすることができるため、カチカチという不要な衝突音の発生を抑制することもできる。また、ルアーボディ１０に必要以上の傷が付くことも防ぐことができる。
【００２７】
すなわち、図７に示すように３本の針先を有する従来のフック５０の場合は、各針先が１２０°間隔で固定されているため、水流の影響によっていずれかの針先が常にルアーボディ１０と接触して衝突音が発生するが、本発明のルアー１００ではこのような不都合は未然に防止することができる。
【００２８】
また、柔らかい素材の連結体チューブ３３によってフック３１、３２を束ねることにより、これがルアーボディ１０へ接触したときの接触音を緩衝して低減するため、魚の警戒心を和らげることもできる。さらに、３本の針先を有する従来のフック５０に比べて水の抵抗が少ないため、水中でのルアーボディ１０の動きを損なわない。なお、本実施の形態ではルアーボディ１０の腹部と尾ひれ部の両方にフック３０を設けた例で示したが、いずれか一方のみであっても良く、また、図７に示したような従来のフック５０と組み合わせて用いても良い。
【００２９】
また、従来のフック５０は、どれか１本の針先が損傷したり、延びたりすると使用できなくなるため、その都度全体を新しいものに交換しなければならないが、本発明の釣り用フック１００は、いずれか一方のフックが使えなくなったときは連結チューブ３３を外してそのフックだけを新しいものに交換すれば再利用することができる。このため、無駄が少なく、リサイクル性にも優れている。
【００３０】
また、本発明のルアー１００は、前述したように各フック３１、３２が独立して魚の口などに絡みつくようになっているため、一旦引っかかった後は魚が暴れた程度では簡単に外れることはない。そのため、各フック３１、３２のかえし（バーブ）３１ｄ、３２ｄを省略できる（バーブレスフック）ため、釣った魚の損傷を最小限に抑えることができる。従って、キャッチアンドリリースを前提としたスポーツフィッシングで用いる釣り用のフックとしても最適である。また、釣った魚を他人に譲ったり、販売するときにはその商品価値を損なうことがない。
【符号の説明】
【００３１】
１００…釣り用ルアー
１０…ルアーボディ
２０…フックアイ
２１…連結リング
２２…ラインアイ
３０…フック
３１…第１フック
３１ａ、３２ａ…軸部
３１ｂ、３２ｂ…吊下げ部
３１ｃ、３２ｃ…針先部
３１ｄ、３２ｄ…かえし（バーブ）
３２…第２フック
３３…連結体
４０…ライン
【要約】
【課題】一旦食いついた後は魚が暴れたり、大型であってもこれを逃がすことなく確実に釣り上げることができる新規な釣り用ルアーの提供。
【解決手段】ルアーボディ１０のフック３０を、それぞれ上端が連結リング２１に揺動自在に係合するほぼＪ字形の第１フック３１および第２フック３２から構成すると共に、これらのフック３１，３２を拡縮自在な連結体３３で束ねる。このような構成によれば、第１フック３１と第２フック３２とが他方の動きにかかわらずそれぞれ独自に動いて２本のフックで魚を捉えることになるため、一旦食いついた後は魚が暴れたり、大型であってもこれを逃がすことなく確実に釣り上げることができる。
【選択図】図１【図１】
0005923676.tif 000002
【図２】
0005923676.tif 000003
【図３】
0005923676.tif 000004
【図４】
0005923676.tif 000005
【図５】
0005923676.tif 000006
【図６】
0005923676.tif 000007
【図７】
0005923676.tif 000008